(57)【要約】【課題】綴じ孔を有する少数枚のシート状物を取りまとめるときに綴じ孔を利用して簡易な構成の保持具で綴じ合わせることができ、綴じ合わせたシート状物の内容もその保持具で表示でき、少数枚のシート状物の管理、保管が簡単にして低コストで行なえるようにする。【解決手段】綴じ孔が位置する被綴じシート状物の綴じ側辺部に当てがう薄形の保持具本体３に切り込み２を入れて引き起こし可能な重ね部４を切り込み形成し、被綴じシート状物が差し入れ可能な切り込み２からなる差し入れ部６を開閉可能に備え、保持具本体３における差し入れ部６とは反対の辺部に、差し入れ部６に差し込む被綴じシート状物の情報を記載可能な情報記載部７を備え、重ね部４には、差し入れ部６に被綴じシート状物を差し入れたときの綴じ孔に係止可能な係止突起５を設けた。【選択図】    図１
2005053019.tif 000002
【特許請求の範囲】
【請求項１】
綴じ孔が位置する被綴じシート状物の綴じ側辺部に当てがう薄形の保持具本体に切り込みを入れて引き起こし可能な重ね部を切り込み形成し、前記被綴じシート状物が差し入れ可能な前記切り込みからなる差し入れ部を開閉可能に備えるとともに、保持具本体における前記差し入れ部とは反対の辺部に、前記差し入れ部に差し込む被綴じシート状物の情報を記載可能な情報記載部を備え、
前記重ね部には、差し入れ部に被綴じシート状物を差し入れたときの綴じ孔に係止可能な係止突起が設けられていることを特徴とするシート状物の保持具。
【請求項２】
上記被綴じシート状物に開けられた複数の綴じ孔に対応した複数の係止突起を備えている請求項１に記載のシート状物の保持具。
【発明の詳細な説明】
【技術分野】
【０００１】
本発明はパンフレットやコピーした複写用紙などのシート状物を複数枚などにしてまとめるときの用いるシート状物の保持具とその保持具を複数備えた保持具組に関するものである。
【背景技術】
【０００２】
従来、パンフレットやコピーした複写用紙などの情報を所持した複数枚のシートを取りまとめて取り扱い易くする場合には、辺部をステープルで綴じ合わせたり、また二穴の綴じ孔をパンチング用具で開けて、この綴じ孔に通す綴じ紐や金属爪を通して折り曲げるようにした金属綴じ具を用いて綴じ合わせるようにしているのが一般的である。
また、綴じ孔を開けたシート状物を取りまとめる場合に、その綴じ孔の位置に対応した爪を予め備えたファイリングフォルダも各種のものがビジネス用品として用意されている。
【発明の開示】
【発明が解決しようとする課題】
【０００３】
ところで、５、６枚のシート状物を取りまとめる機会も多くあり、上述したファイリングフォルダを用いることが不経済になる場合には、綴じ爪を有した上記金属綴じ具を用いたりステープルで綴じ合わせることが一般的である。
しかしながら、この数枚が綴じ合わされたシート状物の組が多数あって、これを縦並べて書類の保管や管理を行なうと、綴じ合わせた個々の内容が縦並び状態からでは把握できず、その保管管理が非常に困難になるという問題があった。そして、金属綴じ具や綴じ紐自体は構造がシンプルで低価格のものであるが、綴じ合わされたシート状物の複数の組が縦並びされた場合にその組個々の内容が表示できる機能は有しているものではなかった。
そこで本発明は上記事情に鑑み、綴じ孔を有する少数枚のシート状物を取りまとめるときにその綴じ孔を利用して簡易な構成の保持具で綴じ合わせることができるととももに、その綴じ合わせたシート状物の内容を前記保持具で表示できるようにすることを課題とし、少数枚のシート状物の管理、保管簡単にして、低コストで行なえるようにすることを目的とするものである。
【課題を解決するための手段】
【０００４】
本発明は上記課題を考慮してなされたもので、綴じ孔が位置する被綴じシート状物の綴じ側辺部に当てがう薄形の保持具本体に切り込みを入れて引き起こし可能な重ね部を切り込み形成し、前記被綴じシート状物が差し入れ可能な前記切り込みからなる差し入れ部を開閉可能に備えるとともに、保持具本体における前記差し入れ部とは反対の辺部に、前記差し入れ部に差し込む被綴じシート状物の情報を記載可能な情報記載部を備え、前記重ね部には、差し入れ部に被綴じシート状物を差し入れたときの綴じ孔に係止可能な係止突起が設けられていることを特徴とするシート状物の保持具を提供して、上記課題を解消するものである。
そして、本発明において、上記被綴じシート状物に開けられた複数の綴じ孔に対応した複数の係止突起を備えているものとすることが良好である。
【発明の効果】
【０００５】
本発明の保持具によれば、シート状物の綴じ側辺部を差し入れる差し入れ部を切り込みにより形成し、その綴じ側辺部に形成した綴じ孔に係止する係止突起も切り込み形成してなるものであるため、構造が簡単であり、保持具自体を紙製のものとすることが可能となり、安価にこの保持具を製作することができる。そして、情報表示部を備えていることから、綴じ合わせたシート状物の組を複数縦並びしても、情報記載部に記載された情報からシート状物の内容を容易に確認することができ、ファイリングフォルダなどの大型の用品を用いずとも、この保持具で保管管理が容易に行なえるなど、実用性に優れた効果を奏するものである。
【発明を実施するための最良の形態】
【０００６】
つぎに本発明を図１から図４に示す実施の形態に基づいて詳細に説明する。
図中１は被綴じシート状物ａの保持具で、該保持具１は比較的腰のある紙製のものである。保持具１にて保持する対象となる前記被綴じシート状物ａは、パンフレットや情報がコピーされた複写用紙などのように情報を所持した一枚や複数枚のものから構成されていて、この被綴じシート状物ａの同一側の辺部を綴じ側辺部ｂとして二穴の綴じ孔ｃが開けられている。そしてこの綴じ孔ｃを有する被綴じシート状物ａの綴じ側辺部ｂを差し入れることができるようにするために、前記保持具１には切り込み２が入れられている。
上記切り込み２は、被綴じシート状物ａにおける綴じ側辺部ｂの片面（図面上では裏面）に当てがう保持具１の保持具本体３から被綴じシート状物ａにおける綴じ側辺部のもう一方の片面（図面上、表面）に当てがわれる重ね部４を切り起こしすることができるようにするためのものであり、被綴じシート状物ａが重なる領域においてこの保持具１は切り込み２を境として保持具本体３と重ね部４とが区分された状態で同一平面上に形成されている。即ち、全体として長方形状とした紙材に前記切り込み２を入れることによって、重ね部４が引き起こし可能に切り込み形成されているものである。
この切り込み２は略コ字状のものではなく、後述する係止突起５が重ね部４と一体となって切り込み形成される形状としている。そして、前記切り込み２によって被綴じシート状物ａの綴じ側辺部ｂを差し入れることのできる差し入れ部６が開閉可能に形成されている。
【０００７】
図示されているように重ね部４は対の係止突起５を備えており、保持具長手方向での重ね部４の端部側それぞれに一体にして切り込み形成され、その保持具長手方向に直交する方向であって被綴じシート状物ａの差し入れ方向とは反対側に向けて伸びた形状とし、その係止突起５それぞれの先端が楔形状に形成されている。
このように二つの係止突起５を有する状態で保持具本体３と重ね部４とを区分する切り込み２は、上述したように被綴じシート状物ａの綴じ側辺部ｂを差し入れることができるように開閉する差し入れ部６を構成していて、この差し入れ部６に被綴じシート状物ａの綴じ側辺部ｂを差し入れたときに、綴じ孔ｃに前記係止突起５が対応位置するように配置されている。
なお、差し入れ部６自体は必要時に開けばよいものであることから、切り込み２を不連続の状態とし、被綴じシート状物ａを差し入れるときにその不連続部分を分断できるようにしてもよい。さらに、差し入れ部６は、係止突起５の突出方向とは逆方向（被綴じシート状物ａの差し込み方向）に向けて延設されていて、その末端を被綴じシート状物ａに対するストッパーとして、係止突起５と綴じ孔ｃとが対応し易くなるように位置決め調整する役割を果たしている。
【０００８】
保持具１で被綴じシート状物ａを綴じ込むときには、上記差し入れ部６に被綴じシート状物ａの綴じ側辺部ｂを差し入れ、その綴じ側辺部ｂの綴じ孔ｃに上記係止突起５を差し入れて係止させればよく、重ね部４と保持具本体３との間に綴じ側辺部ｂが位置し、係止突起５が綴じ孔ｃを通って係止することでこの被綴じシート状物ａが保持具１にて綴じ合わされ、複数の用紙などが一体的に取り扱えるようになる（図２）。
また、この保持具１にあっては差し入れ部６の開き側とは反対となる辺から上記重ね部４の基端となる位置までの範囲に、即ち、この綴じ具１で被綴じシート状物ａを綴じ込んだときにその被綴じシート状物ａの綴じ側辺部ｂから外方に位置することになる部分には、情報記載部７が設けられている。この情報記載部７は保持具１の片面のみに設けられている必要はなく、表裏両面にこの情報記載部７が設けられていてもよく、さらに、この情報記載部７は上記重ね部４にも及ぶ広がりのあるものであってもよい。
この情報記載部７には綴じ込む被綴じシート状物ａに関する情報を記載すればよく、この情報を記載した保持具１で被綴じシート状物ａを綴じ込めば、この綴じ合わされた被綴じシート状物を多数縦並びしたとしても、前記情報記載部７に記載された情報が見易い位置に存在するため、その情報に基づいて保管管理が容易となる。
【０００９】
上記実施の例では保持具１が単体となっている状態を示しているが、被綴じシート状物を綴じ込む前の形態では単体である必要はない。例えば一枚の台紙に複数単位の保持具１が剥離可能にして貼り合わされていてもよく、図３に示す例にあっては一枚の台紙８に保持具１の基材シートが剥離可能な状態で重ね合されていて、その基材シートを所定のパターンで切り込むことで複数単位の保持具１を形成しており、複数枚の保持具の取り扱いを簡単なものとなるようにしている。さらに台紙を用いることなく複数の保持具１が切り取りミシン目を介して分離可能に連接されていてもよい。
【００１０】
上記実施の例では、重ね部４の端縁から係止突起５が、被綴じシート状物ａの差し込み方向とは反対方向に延設されているものを示したが、図４に示すように係止突起５を重ね部４の内側に位置させ、かつ被綴じシート状物の差し込み方向に伸びる形状とした係止突起５を切り込み形成により設けるようにしてもよい。
さらに各実施の保持具１では二穴の綴じ孔に対応して対の係止突起を備えているものとしたが、これに限定されるものではなく、一穴の綴じ孔に対応して一つの係止突起を備えるものであってもよい。
【図面の簡単な説明】
【００１１】
【図１】本発明に係る保持具の一例を示す説明図である。
【図２】一例の使用状態を示す説明図である。
【図３】保持具を複数単位とした状態を示す説明図である。
【図４】他の例を示す説明図である。
【符号の説明】
【００１２】
１…保持具
２…切り込み
３…保持具本体
４…重ね部
５…係止突起
６…差し入れ部
７…情報記載部
８…台紙
ａ…被綴じシート状物
ｂ…綴じ側辺部
ｃ…綴じ孔
【図１】
2005053019.tif 000003
【図２】
2005053019.tif 000004
【図３】
2005053019.tif 000005
【図４】
2005053019.tif 000006